(57)【特許請求の範囲】
【請求項１】
階段の蹴込板において、
下方の段板の上面に固定される固定板と、この固定板の前端部に連結され該固定板に対して略直角に折り曲げ可能で、かつ、上方の段板の前端部に固定される蹴込板本体とを備え、
前記固定板は、前記蹴込板本体が手前に位置するようにして、前記下方の段板の上面後側に固定されるものであることを特徴とする蹴込板。
【請求項２】
請求項１記載の蹴込板において、
固定板と蹴込板本体との境界部に断面Ｖ字状の溝が蹴込板本体の幅方向に沿って形成されており、この溝の谷部で蹴込板本体が固定板に対して略直角に折り曲げ可能であることを特徴とする蹴込板。
【請求項３】
請求項１または２記載の蹴込板を施工する蹴込板の施工方法において、
まず、下方の段板の上面後側に、前記蹴込板の固定板を、蹴込板本体が手前に位置するようにして、固定し、
次に、蹴込板本体を固定板に対して略直角に折り曲げることによって、該蹴込板本体の上端部を上方の段板の前端部に当接したうえで、固定することを特徴とする蹴込板の施工方法。
【請求項４】
請求項３記載の蹴込板の施工方法において、
上方の段板の前端部に、蹴込板本体の厚さと同深さの切欠部が形成されており、この切欠部に前記蹴込板本体の上端部をはめ込むことを特徴とする蹴込板の施工方法。
【請求項５】
請求項３または４記載の蹴込板の施工方法において、
蹴込板本体の上端部を上方の段板の前端部に固定した後、
前記上方の段板の上面に化粧段板を取付けてなり、
この化粧板は、段板の上面を覆う化粧段板本体と、この化粧段板本体に略直角に形成されて、段板の前端部に固定された蹴込板本体の上端部を覆う端面化粧板とからなることを特徴とする蹴込板の施工方法。
【発明の詳細な説明】
【０００１】
【発明の属する技術分野】
本発明は、階段の蹴込板および蹴込板の施工方法に関する。
【０００２】
【背景の技術】
住宅等に設置される階段の改修技術の一例として、特開２００１−３５３５号公報に記載の技術が知られている。
この公報に記載の技術では、図６に示すように、既存の階段に新規の階段部材を取付けて改修するに際して、旧蹴込板３１から突出している上方の段板３２の突出長さＬに相当する厚さＴの当木３３が旧蹴込板３１の下端部で下方の段板３４上に固定される。新規蹴込板３５の下端部は該当木３３外側面に釘打ちされて、固定され、新規蹴込板３５の上端部は、上方の段板３２上端面に釘打ちされて、固定される。断面Ｌ字状の新規段板３６，３７により、釘打ちされた新規蹴込板３５の上端部および下端部が覆われている。
【０００３】
【発明が解決しようとする課題】
ところが、上記の技術では、新規蹴込板３５の下端部を当木３３に固定する場合に、新規蹴込板３５の下端部で、横方向に釘打ちする必要があるため、この釘打ち作業が困難であった。また、新規蹴込板３５を当木３３に固定する際に釘打ちしていることから、釘打ちされた新規蹴込板３５の下端部を新規化粧段板により覆い隠す必要があった。
本発明は上記事情に鑑みてなされたもので、階段の改修に際して、施工が容易でかつ、外観も秀麗に仕上げることができる蹴込板および蹴込板の施工方法を提供することを目的としている。
【０００４】
【課題を解決するための手段】
上記目的を達成するために、請求項１記載の発明は、例えば、図１および図２に示すように、階段の蹴込板１において、下方の段板１０の上面に固定される固定板２と、この固定板２の前端部に連結され、該固定板２に対して略直角に折り曲げ可能で、かつ、上方の段板１２の前端部に固定される蹴込板本体３とを備え、
前記固定板２は、前記蹴込板本体３が手前に位置するようにして、前記下方の段板１０の上面後側に固定されるものであることを特徴とする。
【０００５】
請求項１記載の発明によれば、まず、下方の段板１０の上面後ろ側に、蹴込板１の固定板２を蹴込板本体３が手前に位置するようにして固定し、次に、蹴込板本体３を固定板２に対して略直角に折り曲げることによって、該蹴込板本体３の上端部を上方の段板１２の前端部に当接したうえで固定する。
【０００６】
この蹴込板本体３によって、下方の段板１０に固定された固定板２が階段の表側に露出されないので、蹴込板本体３の下端部を新規段板等により隠さなくても、階段の外観を秀麗に仕上げることができる。また、固定板２を下方の段板１０の上面に固定するので、蹴込板本体３の下端部で横方向に釘打ちする必要がなく、よって、施工が容易となる。
【０００７】
前記下方の段板１０に固定板２を固定する場合、固定板２から下方の段板１０に釘やビス等の止着材を打ち込みまたはねじ込んでもよいし、固定板２を段板１０に接着剤によって固定してもよい。固定板２を止着材によって固定する場合、止着材を鉛直に打ち込みまたはねじ込むことができるので、固定板２の固定作業が容易である。また、止着材の頭部が蹴込板本体３によって階段の表側に露出しないので、階段の外観を秀麗に仕上げることができる。
【０００８】
蹴込板本体３の上端部を上方の段板１２の前端部に固定する場合、蹴込板本体３から段板１２に止着材を打ち込みまたはねじ込んでもよいし、蹴込板本体３を接着剤によって段板１２に固定してもよい。
【０００９】
蹴込板１の表面に予め塩化ビニル等からなる化粧シート６を貼着して、化粧加工を施しておいてもよい。表面に化粧加工が施された該蹴込板１は、蹴込板の下地と蹴込板の化粧板を兼ねることができるため、蹴込板１施工後の仕上げ作業が不要であり、作業効率が高められる。化粧加工は、塩化ビニルシートに限定したものではなく、適切な方法でおこなわれればよい。
【００１０】
また、当該蹴込板１は、旧蹴込板１１のない既存の階段の改修にも利用できる。また、当該蹴込板１は、階段を改修する場合の改修材としてだけでなく、階段を新規に施工する場合の蹴込板として利用してもよい。
【００１１】
請求項２記載の発明は、請求項１記載の蹴込板１において、固定板２と蹴込板本体３との境界部に断面Ｖ字状の溝４が蹴込板本体３の幅方向に沿って形成されており、この溝の谷部５で蹴込板本体３が固定板２に対して略直角に折り曲げ可能であることを特徴とする。
【００１２】
請求項２記載の発明によれば、固定板２と蹴込板本体３との境界部に設けられた断面Ｖ字状の溝４によって、固定板２と蹴込板本体３の境界部を略直角に折り曲げることが容易になる。
前記断面Ｖ字状の溝４の内壁面４ａ、４ａには接着剤が塗布され、蹴込板本体３を固定板２に対して略直角に折り曲げた際に、接着剤が塗布された内壁面４ａ、４ａどうしが固定されると望ましい。なお、接着剤に限らず、両面テープ等の接着シールを予め貼着し、折り曲げ時に剥離シートを剥がして、断面Ｖ字状の溝４の内壁面４ａ、４ａどうしを接着させてもよい。
【００１３】
請求項３記載の発明は、請求項１または２記載の蹴込板１を施工する蹴込板１の施工方法において、まず、下方の段板１０の上面後側に、前記蹴込板１の固定板２を、蹴込板本体３が手前に位置するようにして、固定し、次に、蹴込板本体３を固定板２に対して略直角に折り曲げることによって、該蹴込板本体３の上端部を上方の段板１２の前端部に当接したうえで、固定することを特徴とする。
【００１４】
請求項３記載の発明によれば、下方の段板１０の上面後ろ側に、蹴込板１の固定板２を蹴込板本体３が手前に位置するようにして固定することから、固定板２の固定作業が容易である。また、固定板２は、固定板２に対して略直角に折り曲げられた蹴込板本体３によって、階段の表側に露出しないことから外観を秀麗に、階段を改修することができる。
【００１５】
当該施工方法は、旧蹴込板１１のない既存の階段の改修にも利用できる。また、当該蹴込板１は、階段を改修する場合の改修材としてだけでなく、階段を新規に施工する場合の蹴込板として利用してもよい。
【００１６】
請求項４記載の発明は、請求項３記載の蹴込板の施工方法において、上方の段板１２の前端部に、蹴込板本体３の厚さと同深さの切欠部２３が形成されており、この切欠部２３に前記蹴込板本体３の上端部をはめ込むことを特徴とする。
【００１７】
請求項４記載の発明によれば、蹴込板本体３の厚さと同深さの切欠部２３が設けられた上方の段板１２の前端部に、前記蹴込板本体３をはめ込むことから、段板前端部が面一になり、階段の外観が秀麗になる。また、段板前端部に凹凸がなく、ひっかかる部分がないため、階段昇降時の安全性を保つことができる。
【００１８】
請求項５記載の発明は、請求項３または４記載の蹴込板の施工方法において、蹴込板本体３の上端部を上方の段板１２の前端部に固定した後、前記上方の段板の上面に化粧段板１５を取付けてなり、この化粧段板１５は、段板１２の上面を覆う化粧段板本体１６と、この化粧段板本体１６に略直角に形成されて、段板の前端部に固定された蹴込板本体の上端部を覆う端面化粧板１７とからなることを特徴とする。
【００１９】
請求項５記載の発明によれば、上方の段板１２の上面に取付けられた化粧段板１５の端面化粧板１７によって、上方の段板１２の前端部に固定された蹴込板本体３の上端部を覆うので、上方の段板１２の化粧を容易に行うことができる。
【００２０】
【発明の実施の形態】
以下、図面を参照して、本発明の階段の蹴込板、蹴込板の施工方法の実施の形態を具体的に説明する。
本実施の形態の階段の蹴込板は図１および図２に示すような階段の蹴込板として使用されるものである。
【００２１】
蹴込板１は、下方の段板１０の上面に固定される固定板２とこの固定板２の前端部に連結され、上方の段板１２の前端部に固定される蹴込板本体３とからなっている。固定板２と蹴込板本体３の境界部には、断面Ｖ字状の溝４が蹴込板本体３の幅方向に沿って形成されており、谷部５で蹴込板本体３を固定板２に対して略直角に折り曲げ可能である。
蹴込板１の幅Ｗは、段板１０の左側側端面と右側側端面との長さと同じであり、蹴込板１の奥行きＤは、段板１０の前端面から後端面までの長さと同じに形成されている。
該蹴込板１表側には塩化ビニルからなる化粧シート６が貼着されている。
【００２２】
本実施の形態の蹴込板１を既存の階段に施工し、階段の改修を行う際には、図２に示すように、以下の手順に従う。
図２（ａ）に示すように、既存の階段の旧蹴込板１１の下端部が下方の段板１０の後端面に釘付けされ、旧蹴込板１１の上端部は、上方の段板１２の上端部下面に形成された溝１３にはめ込まれている。下方の段板１０には、既に当該蹴込板１が施工され、下方の段板１０の上面及び前端面は、化粧段板１５によって覆われている。
まず、固定板２の後端面を旧蹴込板１１の下端部表面に当接するとともに、蹴込板本体３が固定板２の手前に位置するようにして、蹴込板１を下方の段板１０の上面におく。次に、固定板２の上面からビス１４を段板１０に鉛直方向にねじ込むことによって、固定板２を段板１０の上面に固定する。
【００２３】
固定板２を下方の段板１０の上面後ろ側に固定した後、蹴込板１の断面Ｖ字状の溝４の内壁面４ａ、４ａに、接着剤を塗布する。
次に、図２（ｂ）に示すように、蹴込板本体３を、固定板２に対して略直角に折り曲げる。すると、断面Ｖ字状の溝４の内壁面４ａ、４ａに塗布された接着剤によって、固定板２と蹴込板本体３とは略直角に折り曲げられた状態で、内壁面４ａ、４ａどうしが接着され、固定される。一方、蹴込板本体３の上端部を、上方の段板１２の前端面に当接したうえに、蹴込板本体３の上端部の表面側から釘１８を上方の段板に打ち込むことにより、蹴込板本体３の上端部を段板１２の前端面に固定する。
【００２４】
次に、図２（ｃ）に示すように、上方の段板１２に、化粧段板１５を接着剤によって取付け、固定する。この化粧段板１５は、上方の段板１２の上面を覆う化粧段板本体１６と、この化粧段板本体１６に略直角に形成されて、段板の前端部に固定されて蹴込板本体３の上端部を覆う端面化粧板１７とからなっている。
化粧段板１５を段板１２に取付けることにより、段板１２に化粧を施す。そして、以上のような工程を順次所定回数繰り返して、階段を下から上に向けて改修していく。
【００２５】
本実施の形態によれば、新規蹴込板１を下方の段板１０に固定する際に、固定板２を下方の段板１０の上面に置いて、ビス１４を鉛直方向にねじ込むことができることから、新規蹴込板１の固定作業が容易になる。
下方の段板１０に固定された固定板２は、固定板２に対して略直角に折り曲げられた蹴込板本体３によって、階段の表側に露出されないため、新規化粧段板等により蹴込板本体３下端部を隠す必要がない。
【００２６】
蹴込板１には塩化ビニルよりなる化粧シート６が貼着されているため、蹴込板下地と蹴込板の化粧板が兼ねられており、蹴込板施工後の仕上げ作業が不要であることから、作業効率が高められる。
蹴込板本体３と固定板２の境界部に断面Ｖ字状の溝４が形成されていることから、蹴込板本体３を固定板２に対して略直角に折り曲げることが容易である。
【００２７】
上方の段板１２に釘打ちされて固定した蹴込板本体３の上端部は、化粧段板１５により覆われることから、外観の秀麗な階段を施工できる。
化粧段板１５は、上方の段板１２の上面を覆う化粧段板本体１６と、この化粧段板本体１６に略直角に形成され段板１２の前端部を覆う端面化粧板１７とからなるため、上方の段板１２に固定された蹴込板本体３の上端部を覆うことが容易である。
【００２８】
なお、本発明は上記の実施形態例に限定されることなく、本発明の主旨を逸脱しない範囲において、適宜変更を行ってもよい。
例えば、図３に示すように、Ｌ字状に形成された蹴込板本体２０の上端部２１を上方の段板１２の前端部裏面に接着剤などにより固定してもよい。また、上端部がＬ字状に形成されなくとも、蹴込板本体３の上端面を上方の段板１２の前端部裏面に接着剤などにより固定してもよい。このときに、裏面に蹴込板本体３の厚さと同深さの溝を形成して、当該溝に蹴込板本体３の前端部をはめ込んでもよい。この溝には接着剤を塗布し、蹴込板本体３の前端部をはめ込んだときに、接着されると望ましい。
【００２９】
また、図４に示すように、上方の段板１２前端面に、蹴込板本体の厚さと同深さの切欠部２３を形成し、この切欠部２３に蹴込板本体３の上端部をはめ込んでもよい。蹴込板本体３の厚さと同深さの切欠部２３が設けられた上方の段板１２前端部に蹴込板本体３をはめ込むことから、段板前端面が面一になり、階段の外観が秀麗になる。また、上方の段板の前端部に凹凸がないことから、ひっかかりがなく、階段昇降時の安全性を保つことができる。
【００３０】
下方の段板１０に固定板２を固定する場合、ビス１４に限らず、釘等の止着材を用いてもよいし、接着剤によって固定板２を段板１０に固定してもよい。接着剤は、固定板２が段板１０に適切に固定されるものであればよい。
蹴込板本体３の上端部を上方の段板１２の前端部に固定する場合、釘１８に限らず、ビス等の止着材を用いてもよいし、接着剤で固定してもよい。
【００３１】
また、断面Ｖ字状の溝４には、予め両面テープなどの接着テープを貼着しておいてもよい。この場合、固定板２を下方の段板１０に固定した後、断面Ｖ字状の溝に貼着された両面テープの剥離シートを剥がし、蹴込板本体３を略直角に折り曲げることによって、断面Ｖ字状の溝４の内壁面４ａ、４ａどうしを接着して、固定する。
【００３２】
なお、本実施形態においては、蹴込板１の奥行きＤは、段板１０の前端面から後端面までの長さと同じに形成されているが、必ずしも同じ長さでなくてもよい。要は、蹴込板本体３を略直角に折り曲げた際に、この蹴込板本体３の上端部が上方の段板１２の前端部に当接できるように蹴込板１の奥行きＤを設定すればよい。
【００３３】
さらに、本実施形態では、蹴込板１に塩化ビニルシートによる化粧加工が施されているが、特にそのような加工が施されなくてもよい。蹴込板１に化粧加工を施す場合には、ポリエステルシートであってもよいし、塗装加工をしてもよく、塩化ビニルシートに限ったものではない。
【００３４】
また、当該蹴込板１を用いた当該蹴込板の施工方法は、階段の改修の際だけではなく、新規階段の施工に用いてもよい。
新規階段の施工時においては、通常、蹴込板の下端部は、下方の段板の後端面に釘打ちされ、蹴込板の上端部は階段の表側から固定される。つまり、蹴込板を施工する場合に、階段の表側と裏側の双方からの固定作業を必要としていたが、本発明の蹴込板１を用いることによって、表側から固定板２を下方の段板に鉛直にビスをねじ込み、蹴込板本体３を略直角に折り曲げて上方の段板に固定することから、施工が容易で外観の秀麗な階段を施工することができる。
【００３５】
なお、従来技術においては、新規段板３６，３７が新規蹴込板３５の前端面に当接されるため、新規段板３６，３７の後端部のカットを正確に行わなければ、新規蹴込板３５と新規段板後端面３６，３７との当接部に凹凸ができ、外観に影響を及ぼすおそれがあった。
しかし、当該蹴込板１および当該蹴込板１を用いた施工方法においては、蹴込板１や化粧段板１５を切り出す場合に、化粧段板本体１６の後端部や蹴込板本体３の上端部の切断面に多少の凹凸が出来たとしても、蹴込板本体１によって化粧段板１５の後端部は露出せず、また蹴込板本体３の上端面についても、化粧段板１５によって覆われることから、施工が容易で外観の秀麗な階段を提供することができる。
【００３６】
【発明の効果】
請求項１記載の発明によれば、固定板と蹴込板本体とを備えているので、下方の段板の上面後ろ側に、固定板を蹴込板本体が手前に位置するようにして固定し、次に、蹴込板本体を固定板に対して略直角に折り曲げることによって、該蹴込板本体の上端部を上方の段板の前端部に当接したうえで固定する。この蹴込板本体によって、下方の段板に固定された固定板が階段の表側に露出されないので、蹴込板本体の下端部を新規段板等により隠さなくても階段の外観を秀麗に仕上げることができる。
また、固定板を下方の段板の上面に固定するので、蹴込板本体の下端部で横方向に釘打ちする必要がなく、よって、施工が容易となる。
【００３７】
請求項２記載の発明によれば、請求項１と同様の効果が得られるのは勿論のこと、固定板と蹴込板本体との境界部に断面Ｖ字状の溝が蹴込板本体の幅方向に沿って形成されていることから、この溝の谷部で蹴込板本体を固定板に対して、略直角に折り曲げることが容易になる。
【００３８】
請求項３記載の発明によれば、下方の段板の上面後ろ側に、蹴込板の固定板を蹴込板本体が手前に位置するようにして、固定し、次に蹴込板本体を固定板に対して略直角に折り曲げることによって、該蹴込板本体の上端部を上方の段板の前端部に当接した上で固定できる。よって、蹴込板を施工する際に、蹴込板の下端部で横方向に釘打ちする必要がなく、施工が容易となる。
また、下方の段板に固定された固定板が、略直角に折り曲げられた蹴込板本体によって、階段の表側に露出しないため、化粧段板等で釘打ち部を隠さなくても、階段の外観を秀麗に仕上げることができる。
【００３９】
請求項４記載の発明によれば、請求項３と同様の効果が得られるのは勿論のこと、蹴込板本体の厚さと同深さの切欠部が設けられた上方の段板の前端部に、蹴込板本体の厚さと同深さの切欠部が形成されており、この切欠部に前記蹴込板本体をはめ込むことから、段板前端部が面一になり、階段の外観が秀麗になる。また、上方の段板の前端部に凹凸がないことから、ひっかかりがなく、階段昇降時の安全性を保つことができる。
【００４０】
請求項５記載の発明によれば、請求項３または４と同様の効果が得られるのは勿論のこと、段板の上面に取付けた化粧段板の端面化粧板によって、段板の前端部に固定された蹴込板本体の上端部を覆うので、段板の段板の化粧を容易に行うことができる。
【図面の簡単な説明】
【図１】  本発明の一実施形態における階段の蹴込板を示す斜視図である。
【図２】  本発明の一実施形態における階段の蹴込板の施工方法を工程の純に示す側断面図である。
【図３】  本発明に係る蹴込板によって施工された他の階段を示す側断面図である。
【図４】本発明に係る蹴込板によって施工された他の階段を示す側断面図である。
【図５】  本発明に係る蹴込板によって施工された他の階段を示す側断面図である。
【図６】  従来技術における蹴込板によって施工された階段を示す側断面図である。
【符号の説明】
１    蹴込板
２    固定板
３    蹴込板本体
４    断面Ｖ字状の溝
５    谷部
１０  上方の段板
１２  下方の段板
１５  化粧段板
１６  化粧段板本体
１７  端面化粧板
２３  切欠部
【図１】
0003854473.tif 000002
【図２】
0003854473.tif 000003
【図３】
0003854473.tif 000004
【図４】
0003854473.tif 000005
【図５】
0003854473.tif 000006
【図６】
0003854473.tif 000007